【事件の表示】
　特願２０００−　２４８０２「携帯端末装置」拒絶査定不服審判事件〔平成１２年　８月　４日出願公開、特開２０００−２１６７３７〕について、次のとおり審決する。
【結　論】
　本件審判の請求は、成り立たない。
【理　由】
１　手続の経緯
　本願は、平成１１年３月１９日（優先権主張平成１０年４月１６日）に出願した特願平１１−７６３４６号の一部を平成１２年１月２８日に新たな特許出願としたものであって、平成２０年８月７日付けで拒絶をすべき旨の査定がされ、これに対し同年９月１２日に拒絶査定不服審判の請求がなされるとともに、同年１０月１４日付けで手続補正がなされ、その後、当審において、平成２２年１０月２９日付けで平成２０年１０月１４日付けの手続補正が却下され、平成２２年１０月２９日付けの拒絶の理由の通知に対して、同年１２月２２日付けで意見書が提出されるとともに、同日付けで手続補正がなされたものである。
　
２　本願発明
　本願の請求項１に係る発明（以下「本願発明」という。）は、平成２２年１２月２２日付けの手続補正書の特許請求の範囲の請求項１に記載された事項により特定される、以下のとおりのものである。
　
「ネットワークに接続された録画端末に対し、上記ネットワークを介して放送番組の一覧を表す番組ガイド情報の供給を要求する供給要求信号を送信する供給要求信号送信手段と、
　上記供給要求信号に応じて供給される上記番組ガイド情報を受信する番組ガイド情報受信手段と、
　上記番組ガイド情報を表示すると共に、当該表示した上記番組ガイド情報から一又は複数の放送番組を選択させるカーソルを表示する表示手段と、
　ユーザの操作入力に応じて、上記選択された放送番組を録画対象となる選択放送番組として確定し、また上記録画端末が有する複数の録画装置のうち上記選択放送番組を録画する選択録画装置を確定する確定手段と、
　上記選択録画装置と上記選択放送番組とを示し、上記選択放送番組の録画予約を要求する予約要求信号を送信する予約要求信号送信手段と
　を有する携帯端末装置。」
　
３　当審の拒絶の理由
　当審において平成２２年１０月２９日付けで通知した拒絶の理由の概要は、本願発明は、特開平９−１０２８２７号公報（平成９年４月１５日出願公開。以下「引用例１」という。）に記載された発明、特開平９−２００７０７号公報（平成９年７月３１日出願公開。以下「引用例２」という。）に記載された技術、特開平６−１６４７４７号公報（平成６年６月１０日出願公開。以下「引用例３」という。）に記載された技術及び周知技術に基づいて当業者が容易に発明をすることができたものであるから、特許法２９条２項の規定により特許を受けることができない、というものである。
　
４　引用例の記載
（１）引用例１
　引用例１には、図面とともに次の事項が記載されている。
　
ア　「【０００１】
【発明の属する技術分野】本発明は、遠隔制御装置および通信装置に関する。特に、電子機器の制御に必要な情報を、例えば表示することなどにより、ユーザに、その情報を確認させ、電子機器の遠隔制御を的確に行うことができるようにした遠隔制御装置および通信装置に関する。」（段落【０００１】）
　
イ　「【００２３】図１は、本発明を適用した遠隔制御システムの一実施例の構成を示している。この遠隔制御システムにおいては、ユーザが携帯端末１を操作することで、例えばユーザが自宅に設置してあるＶＴＲ４を遠隔制御することができるようになされている。
【００２４】即ち、携帯端末１は、例えば個人向けの情報携帯端末（ＰＣＳ）などであり、基地局２と通信を、無線によって行うことができるようになされている。基地局２は、携帯端末１からの信号を受信し、その信号を、ネットワーク３を介して、所定の通信可能な装置に送信するとともに、ネットワーク３を介して送信されてきた信号を受信し、その信号を、携帯端末１に送信するようになされている。ネットワーク３は、例えば公衆網などで構成されている。従って、携帯端末１は、基地局２を介してネットワーク３と接続され、これにより、基地局２およびネットワーク３を介して、通信可能な装置と通信を行うことができるようになされている。
【００２５】なお、ネットワーク３は、公衆網以外の有線回線や、あるいは無線回線などで構成することも可能である。
【００２６】ＶＴＲ４は、録画予約その他の機能を有するＶＴＲで、例えば携帯端末１の所有者であるユーザの自宅（各家庭）などに設置されている。また、このＶＴＲ４は、ネットワーク３と接続されており、これにより、ネットワーク３を介して、所定の信号を供給することで、その遠隔制御を行うことができるようになされている。
【００２７】センタ局は、データベース５およびデータベース制御部６を有している。データベース５には、ＶＴＲ４の制御（本実施例においては、例えば録画予約などとする）に必要な必要情報として、例えばテレビジョン放送による番組の番組表や、各番組の内容に関する情報（以下、適宜、番組情報という）などが記録されている。データベース５は、ネットワーク３と接続されており、ネットワーク３を介してアクセスすることで、データベース５から、上述したような番組表や番組情報を得ることができるようになされている。なお、必要情報としての番組表や番組情報は、画像（静止画、動画）データや、文字データなどの表示可能なデータの他、音声データによって構成することも可能である。
【００２８】データベース制御部６は、データベース５の記録内容を更新するようになされている。即ち、データベース制御部６は、必要に応じて、例えばセンタ局のオペレータに操作され、これにより、その操作に対応して、最新の番組に関する番組表や番組情報を、データベース５に記録するようになされている。
【００２９】なお、データベース制御部６は、データベース５とは別に設置することができ、この場合、データベース制御部６をネットワーク３と接続し、データベース５の記録内容の更新は、データベース制御部６よりネットワーク３を介して行うようにすることができる。また、必要情報が記録されたデータベースは、データベース５の他に、複数設けることができ、この場合、複数のデータベースの更新は、ネットワーク３を介して同時に行われる。さらに、この場合、データベースの更新は、本実施例においては有線回線でなるネットワーク３の他、例えば衛星回線や地上波などの無線回線を介して行うようにすることも可能である。
【００３０】次に、図２を参照して、ＶＴＲ４の遠隔制御として、例えば録画予約が行われる場合の処理について説明する。例えば外出先などにおいて、ＶＴＲ４に対し、番組の録画予約を行おうとするユーザは、その番組のチャンネルや、開始時刻などがわからないとき、携帯端末１を操作して、データベース５にアクセスする（１）。
【００３１】ここで、携帯端末１からデータベース５へのアクセスは、基地局２およびネットワーク３を介して行われる。携帯端末１と基地局２との間の通信は、上述したように無線で行われ、従って、これらは無線通信システムを構成しているが、この無線通信システムとしては、例えばマイクロセル方式によるもの（例えば、簡易型携帯電話システム（ＰＨＳ）など）などを用いることができる。
【００３２】データベース５にアクセスした後、ユーザは、携帯端末１を操作することで、データベース５に記録されてる番組表や番組情報を、携帯端末１に送信させる。これにより、データベース５からは、番組表や番組情報が、ネットワーク３および基地局２を介して携帯端末１に送信される（２）。携帯端末１では、データベース５から送信されてきた番組表や番組情報が受信され、必要に応じて表示（出力）される。ユーザは、表示された番組表や番組情報を参照し、希望する番組の放送チャンネルや、開始時刻などの録画予約に必要な情報を確認する。
【００３３】その後、ユーザは、携帯端末１を操作することで、基地局２およびネットワーク３を介して、ＶＴＲ４にアクセスする（３）。そして、ユーザは、確認した放送チャンネルや開始時刻などを、基地局２およびネットワーク３を介してＶＴＲ４に送信することで、所望する番組の録画予約を行う（４）。
【００３４】以上のように、携帯端末１では、ＶＴＲ４の録画予約に必要な番組表や番組情報などの必要情報が記録されているデータベース５と、ネットワーク３を介して通信が行われ、番組表や番組情報が受信される。そして、その番組表や番組情報が表示（出力）され、これにより、ユーザによって、所望する番組を録画予約するために必要な情報が確認される。従って、ユーザは、任意の場所から任意の時刻に、ＶＴＲ４の遠隔制御を的確に行うことができる。即ち、この場合、ユーザは、例えば外出先などから、希望する番組の録画予約を的確に行うことができる。
【００３５】次に、図３は、携帯端末１の構成例を示している。アンテナ１１は、基地局２からの電波を受信し、その受信信号を、通信Ｉ／Ｆ部１２に出力するとともに、通信Ｉ／Ｆ部１２からの信号を電波で出力するようになされている。通信Ｉ／Ｆ部１２は、基地局２との間で通信（データ通信）を行うためのインターフェイスで、例えば、基地局２との間のリンクを確立したり、また、基地局２との間で確立されたリンクを切断したりするようになされている。制御部１３は、ＣＰＵやＲＯＭ，ＲＡＭなどで構成され、装置全体の制御を行うようになされている。ユーザＩ／Ｆ部１４は、例えばキーボード１５、タブレット１６、入力ペン１７、ディスプレイ１８、スピーカ１９などから構成され、ユーザからの情報の入力を受け付けるとともに、ユーザに対し、情報を提示するようになされている。
【００３６】即ち、キーボード１５や、タブレット１６および入力ペン１７は、例えば、データベース５から必要情報を読み出す場合や、ＶＴＲ４を遠隔制御する場合、その他、情報を入力する必要がある場合に操作される。ディスプレイ１８は、制御部１３から供給される情報のうち、表示可能なもの（画像や文字など）を表示するようになされている。スピーカ１９は、制御部１３から供給される情報のうち、音声出力可能なものを出力するようになされている。
【００３７】なお、このユーザＩ／Ｆ部１４においては、ユーザに対し、例えばグラフィカルなユーザインタフェイス（ＧＵＩ）が提供されるようになされている。
【００３８】図４は、ＶＴＲ４の構成例を示している。この実施例においては、ＶＴＲ４は、予約制御部２１とＶＴＲブロック２５とから構成されている。予約制御部２１は、通信Ｉ／Ｆ部２２、制御部２３、および対ＶＴＲブロックＩ／Ｆ部２４から構成されており、ネットワーク３を介して送信されてくる遠隔制御のための信号を受信し、その受信信号に対応した制御を行うようになされている。即ち、通信Ｉ／Ｆ部２２は、ネットワーク３を介しての通信を行うためのインターフェイスで、所定の通信手順にしたがって通信制御を行うようになされている。制御部２３は、例えばＣＰＵや、ＲＯＭ，ＲＡＭなどで構成され、予約制御部２１全体の制御を行うようになされている。対ＶＴＲブロックＩ／Ｆ部２４は、制御部２３に代わって、ＶＴＲブロック２５とのデータのやりとりを行うようになされている。ＶＴＲブロック２５は、本来のＶＴＲとしての機能を有し、ビデオテープに対する記録や再生などを行うようになされている（なお、本実施例では、ＶＴＲブロック２５は、予約録画を行う機能も有しているものとする）。
【００３９】次に、図５および図６を参照して、携帯端末１が行う通信の手順について説明する。まず、図５は、携帯端末１とデータベース５との間の通信手順を示している。ユーザによって、キーボード１５、または入力ペン１７を用いてタブレットが、データベース５にアクセスするように操作されると、その操作に対応した操作信号（以下、適宜、データベースアクセス信号という）が、ユーザＩ／Ｆ部１４から制御部１３に出力される。制御部１３は、データベースアクセス信号を受信すると、データベース５との通信リンクを確立するように、通信Ｉ／Ｆ部１２を制御する。通信Ｉ／Ｆ部１２は、制御部１３の制御にしたがい、アンテナ１１を介して基地局２にアクセスし、基地局２との間の通信リンクを確立する。その後、通信Ｉ／Ｆ部１２は、基地局２に対し、データベース５に対するアクセスを要求し、基地局２は、この要求を受信すると、ネットワーク３を介してデータベース５との通信リンクを確立する。この結果、基地局２およびネットワーク３を介して、携帯端末１（通信Ｉ／Ｆ部２２）とデータベース５との間で、通信リンクが確立される。
【００４０】通信Ｉ／Ｆ部２２では、以上のようにしてデータベース５との通信リンクが確立され、これにより通信可能状態となると、データベース５と、基地局２およびネットワーク３を介して通信を行い、番組表および番組情報を要求する。データベース５において、この要求が受信されると、携帯端末１に対して、番組表および番組情報が送信される。この番組表および番組情報は、携帯端末１において、アンテナ１１を介して、通信Ｉ／Ｆ部１２で受信され、制御部１３に供給される。
【００４１】制御部１３は、番組表および番組情報を受信すると、その内蔵するＲＡＭに記憶させる。そして、ＲＡＭに記憶された番組表および番組情報を読み出し、ディスプレイ１８に供給して表示させ、あるいは、また、スピーカ１９に供給して出力させる。
【００４２】なお、ＲＡＭに記憶された番組表や番組情報を、ディスプレイ１８に一度に表示することができない場合には、制御部１３は、表示可能な分だけ、番組表または番組情報を、ＲＡＭから読み出し、ディスプレイ１８に供給して表示させるようになされている。この場合、キーボード１５、または入力ペン１７を用いてタブレット１６が操作されると、制御部１３は、ディスプレイ１８の画面を、例えばスクロールなどさせるようになされており、これにより、番組表または番組情報の表示されていなかった部分が表示されるようになされている。
【００４３】また、制御部１３は、送信されてきた番組表および番組情報を、一度に、ＲＡＭに記憶させることができない場合には、所定のデータ量の番組表および番組情報を受信した時点で、通信Ｉ／Ｆ部１２に、データの受信を中断させるようになされている。この場合、通信Ｉ／Ｆ部１２は、受信しきれなかった番組表および番組情報については、それらをディスプレイ１８またはスピーカ１９から出力する必要が生じたとき、データベース５に、それらの情報の送信を要求するようになされている。
【００４４】ユーザは、以上のようにしてディスプレイ１８またはスピーカ１９から出力された番組表や番組情報を参照して、所望する番組を録画予約するのに必要な情報を確認する。そして、その確認を行った後、ユーザは、データベース５との通信リンクを切断するように、ユーザＩ／Ｆ部１４（キーボード１５、あるいはタブレット１６および入力ペン１７）を操作する。すると、ユーザＩ／Ｆ部１４からは、その操作に対応した操作信号（以下、適宜、データベースリンク解放信号という）が、ユーザＩ／Ｆ部１４から制御部１３に出力される。制御部１３は、データベースリンク解放信号を受信すると、データベース５との通信リンクを切断（解放）するように、通信Ｉ／Ｆ部１２を制御する。通信Ｉ／Ｆ部１２は、制御部１３の制御にしたがい、アンテナ１１を介して基地局２との通信リンクを切断する。基地局２は、携帯端末１との通信リンクが切断されると、ネットワーク３を介して確立されていたデータベース５との通信リンクを切断する。
【００４５】次に、図６は、携帯端末１とＶＴＲ４との間の通信手順を示している。なお、携帯端末１とＶＴＲ４との間の通信も、図５で説明した携帯端末１とデータベース５との間の通信における場合と同様に、基地局２およびネットワーク３を介して行われるが、図６においては、基地局２に関する部分の図示を省略してある。
【００４６】ユーザは、録画予約するのに必要な情報を記憶している場合、あるいは、記憶していなくても、図５で説明したようにして、録画予約するのに必要な情報を確認した後、録画予約を行うことを希望するときには、ＶＴＲ４との通信リンクを確立するように、ユーザＩ／Ｆ部１４を操作する。すると、ユーザＩ／Ｆ部１４からは、その操作に対応した操作信号（以下、適宜、ＶＴＲアクセス信号という）が、ユーザＩ／Ｆ部１４から制御部１３に出力され、以下、図５における場合と同様にして、ＶＴＲ４との通信リンクが確立される。
【００４７】その後、ユーザは、ユーザＩ／Ｆ部１４を操作して、希望する番組を録画予約するのに必要な情報（以下、適宜、予約情報という）（操作情報）を入力する。この予約情報は、制御部１３および通信Ｉ／Ｆ部１２を介して、アンテナ１１から出力され、さらに、基地局２およびネットワーク３を介してＶＴＲ４に送信される。
【００４８】ＶＴＲ４では、携帯端末１からの予約情報が、通信Ｉ／Ｆ部２２によって受信され、制御部２３に出力される。制御部２３では、予約情報が、ＶＴＲブロック２５に対し、録画予約を行うのに適したフォーマットに変換され、対ＶＴＲブロックＩ／Ｆ部２４を介してＶＴＲブロック２４に出力される。ＶＴＲブロック２４では、予約情報を受信すると、その予約情報にしたがって、録画予約が実行される。
【００４９】その後、必要ならば、ＶＴＲブロック２５からは、録画予約した番組を確認するための情報（例えば、録画をする番組のチャンネルや、その開始時刻など）（以下、適宜、確認メッセージという）が予約制御部２１に出力される。この確認メッセージは、ネットワーク３および基地局２を介して、携帯端末１に送信され、携帯端末１では、確認メッセージを受信すると、それが、例えばディスプレイ１８において表示される。
【００５０】ユーザは、確認メッセージを見て、正しく録画予約がされているかどうかを判断し、正しく録画予約がなされていない場合、その録画予約を取り消す操作を行った後、再度、予約情報の入力をやり直す。また、録画予約が正しく行われている場合、ユーザは、ＶＴＲ４との通信リンクを切断するように、ユーザＩ／Ｆ部１４を操作する。すると、ユーザＩ／Ｆ部１４からは、その操作に対応した操作信号（以下、適宜、ＶＴＲリンク解放信号という）が、ユーザＩ／Ｆ部１４から制御部１３に出力され、図５における場合と同様にして、ＶＴＲ４との通信リンクが切断（解放）される。
【００５１】なお、上述の場合、携帯端末１とＶＴＲ４との間の通信リンクが確立している間に、ＶＴＲ４に録画予約を実行させるようにしたが、この他、例えば、携帯端末１から予約情報を送信した後に、即座に、携帯端末１とＶＴＲ４との間の通信リンクを切断し、その後、ＶＴＲ４に、録画予約を実行させるようにすることも可能である。但し、この場合、上述したような確認（確認メッセージの受信）を行うことはできなくなる。
【００５２】また、制御部１３には、ＶＴＲ４およびデータベース５が接続されている電話回線の番号があらかじめ登録されており、ＶＴＲ４およびデータベース５へのアクセスは、その番号を参照することで行われるようになされている。
【００５３】次に、携帯端末１で行われる処理について、図７乃至図９を参照してさらに説明する。図７は、携帯端末１において番組表が表示されている様子を示している。携帯端末１では、番組表としては、可能ならば、受信可能な放送局のチャンネルすべてについての１日分の番組欄で構成されるものが表示される。この場合、各番組欄は、例えばスポーツや、音楽、ドラマなどのジャンルごとに色分けされて表示され、これにより、ユーザが番組のジャンルを、即座に認識することができるようになされている。
【００５４】ユーザは、番組表の中から、希望する番組を見つけ、その内容を確認したい場合には、その番組に対応する番組欄を、ユーザＩ／Ｆ部１４を操作することで選択する。この選択操作に対応する操作信号は、制御部１３で受信される。すると、制御部１３は、その選択された番組に対応する番組情報を、ユーザＩ／Ｆ部１４に出力する。これにより、図８に示すように、ユーザＩ／Ｆ部１４のディスプレイ１８では、表示可能な番組情報（動画、静止画、文字）が表示され、スピーカ１９では、音声出力可能な番組情報（音声）が出力される。従って、この場合、ユーザは、番組の内容を確認することができる。
【００５５】なお、このような番組情報の参照は、番組欄を、ユーザＩ／Ｆ部１４によって操作する他、ユーザＩ／Ｆ部１４を所定操作することによっても行うことができるようになされている。
【００５６】ユーザは、番組の録画予約を希望する場合、上述したように、ユーザＩ／Ｆ部１４を、ＶＴＲ４との通信リンクを確立するように操作し、さらに予約情報を入力することによって、録画予約を行うことができるが、録画予約は、この他、例えば次のようにして行うこともできるようになされている。
【００５７】即ち、番組表が表示されている状態において、録画予約する番組の番組欄が、ユーザＩ／Ｆ部１４を操作することで選択されると、制御部１３では、選択された番組のチャンネルや、開始時刻および終了時刻などの録画予約に必要な予約情報が、番組表を参照することで認識され、その後、ＶＴＲ４との通信リンクが確立される。そして、以下、図６で説明したようにして録画予約が行われる。
【００５８】また、番組情報が出力されている状態において、録画予約を行うように、ユーザＩ／Ｆ部１４が操作されると、制御部１３において、その出力されている番組情報に対応する番組の録画予約に必要な予約情報が、番組表を参照することで認識され、以下、上述した場合と同様にして録画予約が行われる。
【００５９】この場合、ユーザは、予約情報を入力せずに済むので、より簡単な操作で録画予約を行うことができる。」（段落【００２３】〜【００５９】）
　
　以上の記載によれば、引用例１には、次の発明（以下「引用発明」という。）が記載されている。
　
「アンテナ１１と、通信Ｉ／Ｆ部１２と、制御部１３とは、ユーザＩ／Ｆ部とで構成され、
　アンテナ１１は、基地局２からの電波を受信し、その受信信号を、通信Ｉ／Ｆ部１２に出力するとともに、通信Ｉ／Ｆ部１２からの信号を電波で出力し、
　通信Ｉ／Ｆ部１２は、基地局２との間で通信を行うためのインターフェイスであり、
　制御部１３は、ＣＰＵやＲＯＭ，ＲＡＭなどで構成され、
　ユーザＩ／Ｆ部１４は、例えばキーボード１５、タブレット１６、入力ペン１７、ディスプレイ１８、スピーカ１９などから構成され、ユーザからの情報の入力を受け付けるとともに、ユーザに対し、情報を提示し、
　ユーザＩ／Ｆ部１４においては、グラフィカルなユーザインタフェイス（ＧＵＩ）が提供され、
　携帯端末１は、基地局２を介してネットワーク３と接続され、
　ＶＴＲ４は、ネットワーク３と接続され、
　データベース５は、ネットワーク３と接続され、
　データベース５には、ＶＴＲ４の制御に必要な必要情報として、例えばテレビジョン放送による番組の番組表や、各番組の内容に関する情報などが記録され、
　ユーザによって操作されると、携帯端末１は、データベース５と、基地局２およびネットワーク３を介して通信を行い、番組表および番組情報を要求し、
　データベース５において、この要求が受信されると、携帯端末１に対して、番組表および番組情報が送信され、
　この番組表および番組情報は、携帯端末１において、ディスプレイ１８に表示させ、
　番組表が表示されている状態において、録画予約する番組の番組欄が、ユーザＩ／Ｆ部１４を操作することで選択されると、制御部１３では、選択された番組のチャンネルや、開始時刻および終了時刻などの録画予約に必要な予約情報が、番組表を参照することで認識され、
　ＶＴＲ４との通信リンクが確立され、
　予約情報は、基地局２およびネットワーク３を介してＶＴＲ４に送信され、
　ＶＴＲ４から、録画予約した番組を確認するための確認メッセージが、ネットワーク３および基地局２を介して、携帯端末１に送信され、
　携帯端末１では、確認メッセージを受信すると、ディスプレイ１８において表示され、
　ユーザは、確認メッセージを見て、正しく録画予約がされているかどうかを判断し、正しく録画予約がなされていない場合、その録画予約を取り消す操作を行った後、再度、予約情報の入力をやり直し、
　録画予約が正しく行われている場合、ユーザは、ＶＴＲ４との通信リンクを切断するように、ユーザＩ／Ｆ部１４を操作する
　携帯端末１。」
　
（２）引用例２
　引用例２には、図面とともに次の事項が記載されている。
　
ア　「【０００１】
【発明の属する技術分野】本発明は、垂直帰線消去期間に文字，図形，付加音から成る番組データを重畳する文字放送を復調する文字放送受信装置において、放送局にて、局名，日付，放送時刻，番組識別や番組名などのテレビ番組表情報を付加して送出し、受信側で受信した前記テレビ番組表情報を利用してＶＴＲ等の録画予約する機能を有する文字放送受信装置に関するものである。」（段落【０００１】）
　
イ　「【０００７】
【発明が解決しようとする課題】本発明は、このような従来技術における問題点に鑑みてなされたもので、外出先からでもテレビ番組が入手でき、録画予約が可能な装置を得ること、しかも、番組の日付や番組名を自動的にＶＴＲやＤＶＤへ録画し得ること、また、録画予約した番組が放送されなかったことを簡単に知ることができる当該装置を提供することをその課題とする。
【０００８】
【課題を解決するための手段】請求項１の発明は、テレビジョン信号の垂直帰線消去期間に重畳された文字放送番組データの一部として局名，日付，放送時刻，番組識別や番組名などのテレビ番組表情報が重畳された文字放送を受信，復調して得た前記テレビ番組表情報を利用してＶＴＲ等の録画予約を行うようにした文字放送受信装置において、常に取り込まれている前記テレビ番組表情報の最新情報を格納するメモリと、該メモリに格納された情報を画像データに変換可能なデータ伝送信号の形態で電話回線へ送出する装置と、電話回線からのトーン信号を受信し解読する解読装置と、電話回線用のモデムを備え、前記解読装置の出力によるコントロールでＶＴＲの録画予約設定等の動作を行うようにし、電話回線を通して最新のテレビ番組表が画像データとして入手でき、それに基づいて、録画予約を行うことを可能とするものである。」（段落【０００７】〜【０００８】）
　
ウ　「【００１０】請求項３の発明は、請求項１の発明において、前記画像データに変換可能なデータ伝送信号の形態がノートパソコン等の携帯端末用であるようにし、電話回線があれば、どんな出先からでもテレビ番組表を画像で見て録画予約を可能とするものである。」（段落【００１０】）
　
エ　「【００１３】
【発明の実施の形態】以下、添付図を参照して、本発明の実施例を説明する。図１は、本発明の実施形態における受信機の要部のブロック図である。また、図２は、前記受信機に回線でつながり、システムを構成する要素としてのファクシミリを示す図である。図１５の従来例と同じ参照番号を符号として付されたブロックは、同じ要素を表わしているので、先の説明を援用することとして、異なる点についてのみ説明する。放送局より文字放送信号として送出されたテレビ番組表情報番組を取り込み部１より取り込み、メモリ７へ格納する。ここで、操作者が外出先よりテレビ番組の録画予約を必要とする場合、操作者がファクシミリ２５のトーン信号切換えボタンを押し、録画予約登録スタートコード（００＃等）を電話回線５を介し送信する。本発明の受信機のモデム部４よりそのスタートコードを読み取り、例えば、図３に示されるような録画予約初期画面を復号処理し、ＣＰＵ２でファクシミリ信号に変換し、電話回線５を介してモデム部４より操作者のファクシミリ２５へ送信する。ここにおけるファクシミリによる送信については、図４に文字放送における表示画面の論理形態図が示され、この図を参照すると、表示制御部６にて表示メモリに展開された番組表のイメージデータのうち、この図におけるパターン面のデータ（０・１のドットデータ）が送信データとなる。このデータをライン毎に読み出し、ファクシミリ放送のＭＨ符号化（モディファイド・ハフマン符号化）をして、ファクシミリのフォーマットにソフトウェアにて変換をし、モデムを介して送信する。
【００１４】図３に戻ると、操作者は、初期画面で録画登録したい日を選択し、再度トーン信号でそのコードを電話回線５より送信する。本発明の受信部では、受信したコードから、例えば、図５に示されるような、その日の放送局選択ページをＣＰＵ２でメモリ７より探し、表示制御部６で画像データに変換復号し、再度ＣＰＵ２にてファクシミリ信号へ変換してモデム４より送出する。受信した図５の画像より、操作者は、録画したい放送局を選択し、トーン信号でそのコードを電話回線５より送信する。
【００１５】操作者が送信し、受信機側で受信したコードに従って、例えば、図７に示されるようなその局の番組表の１日分の数ページ（文字放送では、１ページに表示できる文字数が少ないため、数ページに分けて送出する）を１ページのファクシミリ信号に変換してモデム４より送出する。この番組表のファクシミリによる送信については、文字放送の１画面の表示領域は２４８ドット（Ｗ）＊２０４ライン（Ｈ）であるところ、ファクシミリでは、Ａ４で１６２４ドット（Ｗ）＊２１３４ライン（Ｈ）の表示能力があるから、文字放送の６０画面分の表示ができるが、この形態で送信を行うことが可能である。これらのことに基づく構成は、図６にファクシミリの表示能力によるフォーマット例に示すように、文字放送デコーダの表示制御部へ、１０画面分ＰＧ１〜ＰＧ１０の番組表を復号（表示展開）し、ＣＰＵにて各ページの１ライン分を読み出し、ＭＨ符号化を行うようにすることが考えられる。１０画面分の転送が終了後、再度次の１０画面分の番組表を復号し、同じ処理を繰り返す。また、横１画面、縦６画面表示では、１画面毎にファクシミリデータへ変換してもよい。
【００１６】録画予約の手順に話を戻すと、操作者は、受信した図７の画像より録画したい放送番組を選択し、そのコード（例えば、ドラマならば３９）を電話回線５より送出する。受信機側では、このコードを受信後、または、確認データをファクシミリ信号で送出後、録画予約を確定し実行する。
【００１７】次に、図８に示されるように、携帯情報端末２６を要素として前記図１で示す受信機に回線でつないでシステムを構成するようにした本発明の実施の形態を示す。操作者が外出先よりテレビ番組の録画予約を必要とする場合、操作者は、携帯端末２６を利用し、録画予約登録スタートコード（００＃等）を送信する。本発明の受信機のモデム部３よりそのスタートコードを読み取り、図３で例示される録画予約初期画面を復号処理し、モデム部４より電話回線５を介して、操作者の携帯情報端末へ送信する。操作者は、図２の画面により録画登録したい日を選択し、そのコードを送信する。この実施形態の受信部では、受信したコードから図９で例示されるその日の放送局選択ページをＣＰＵ２でメモリ７より探し、そのページのテキストデータをモデム４より送出する。受信した図４のデータより操作者は、録画したい放送局を選択し、トーン信号でそのコードを電話回線５より送信する。受信機側では、操作者が求めた放送局のその日の番組表の１ページのテキストデータをモデム４より送出する。操作者は、受信した図１０で水示される画像より録画したい放送番組を選択し、そのコード（例えば、ドラマならば３９）を電話回線５より送出する。受信機側では、このコードを受信後、または、確認データを送出後、録画予約を確定し実行する。」（段落【００１３】〜【００１７】）
　
オ　「【００２０】
【発明の効果】請求項１の発明によると、外出先からでも、電話回線を通して最新のテレビ番組表が画像データとして入手でき、それに基づいて、録画予約を行うことができる。請求項２の発明によると、請求項１の効果に加えて、テレビ番組の録画予約にとって具合の良い１日の番組表をファクシミリ１ページの画像として提供することができる。請求項３の発明によると、請求項１の効果に加えて、電話回線があれば、どんな出先からでもテレビ番組表を画像で見て録画予約ができる。請求項４の発明によると、請求項１の効果に加えて、録画予約に用いた文字放送の番組の日付，番組名等のデータを録画データとして記録することができる。請求項５の発明によると、請求項１の効果に加えて、録画予約された番組が放送されなかったことを報知することができ、しかもそれをＣＰＵのソフトウェアで実現し得る。」（段落【００２０】）
　
（３）引用例３
　引用例３には、図面とともに次の事項が記載されている。
　
ア　「【０００１】
【産業上の利用分野】本発明は、外出先から家庭のビデオデッキなどを操作するための遠隔操作システムに関する。」（段落【０００１】）
　
イ　「【０００８】
【実施例】以下、本発明の一実施例を説明する。図１は本発明の実施例を示すシステム構成外観図である。図において、１は家庭内に設置する無線式電話機で、アンテナ２、送受話器３、キー４、赤外線送信口５などから成る。６は外出時に携帯する携帯電話機で、アンテナ７、キー８、液晶ディスプレイ（ＬＣＤ）９などから成る。そして、１０が遠隔操作させようとするビデオデッキで、操作スイッチ１１、赤外線受信口１２などから成る。なお、携帯電話機６は、操作メニューの選択により、液晶ディスプレイ９にビデオ録画予約の操作ガイダンス表示が行われるように設定しておくものとする。また、無線式電話機１とビデオデッキ１０とは、赤外線送信口５から出た赤外線が赤外線受信口１２に入射するように配置するものとする。
【０００９】図２は図１のブロック図である。家庭内に設置する無線式電話機１は、この電話機１を構成する各部を制御する制御部１５、相手の電話機と無線通信を行う無線通信部１６、携帯電話機６との間でビデオデッキ１０の制御に関する通信の取り決めを設定した通信プロトコル１７、携帯電話機６からのビデオデッキ１０の制御情報を記憶しておく記憶部１８、ビデオデッキ１０を制御する赤外線を送信する赤外線送信部１９などから成る。また、携帯電話機６は、この携帯電話機６を構成する各部を制御する制御部２０、相手の電話機と無線通信を行う無線通信部２１、家庭内の無線式電話機１との間でビデオデッキ１０の制御に関する通信の取り決めを設定した通信プロトコル２２などから成る。なお、２，４は無線式電話機１のアンテナ、キーを示し、７，８，９は携帯電話機６のアンテナ、キー、液晶ディスプレイを示す。さらに、ビデオデッキ１０は、赤外線を受信する赤外線受信部２３、このビデオデッキ１０の各部を制御する制御部２４、録画再生などの所定の動作を行う駆動部２５などから成る。
【００１０】次に、本システムによる外出先からのビデオ録画予約と、この予約に基づくビデオ録画制御について説明する。図３はビデオ録画予約の手順を示す携帯電話機６の操作フローである。図示してはいないが、まずキー８で携帯電話機６によるビデオ録画制御を選択すると、液晶ディスプレイに操作ガイダンスが表示されるので、以下これにしたがって操作してゆく。まず、携帯電話機６のキー８から家庭の無線式電話機１へダイヤル呼出しを行う（Ｓ１）。無線式電話機１と接続された事を示す着信音が携帯電話機６に返ってきたら（Ｓ２）、キー８入力により動作させようとするビオデッキ１０を指定し（ビオデッキ１０が複数ある場合のみ）、さらにビデオ録画をスタートさせるのか又はストップさせるのか（この場合、いずれもその時間を予約設定できるものとする）を選択する（Ｓ３，Ｓ４）。Ｓ４で録画スタートを選択した場合には（Ｓ５）、続いてキー８入力により、録画を行おうとする時間及び録画チャンネルを指定して（Ｓ６）携帯電話機６からの予約を終了する。一方、録画ストップを選択した場合には（Ｓ５）、直ちに予約を終了する。そして、以上の予約情報が無線式電話機１の記憶部１８に記憶される。」（段落【０００８】〜【００１０】）
　
５　対比
　本願発明と引用発明を対比する。
　引用発明の「携帯端末１」は、本願発明の「携帯端末装置」に相当する。
　引用発明の「ネットワーク３」は、本願発明の「ネットワーク」に相当する。
　引用発明の「ＶＴＲ４」は、本願発明の「録画端末」に相当する。
　引用発明の「番組表」は、本願発明の放送番組の一覧を表す「番組ガイド情報」に相当する。
　引用発明の「データベース５」と本願発明の「録画端末」は、「装置」である点で一致する。そして、引用発明において、携帯端末１は、ネットワーク３と接続されたデータベース５に対し、ネットワーク３を介して番組表を要求しているから、引用発明の携帯端末１と本願発明は、「ネットワークに接続された装置に対し、上記ネットワークを介して放送番組の一覧を表す番組ガイド情報の供給を要求する供給要求信号を送信する供給要求信号送信手段」に相当する構成を有している点で一致する。
　引用発明において、携帯端末１は、要求に応じて送信されてきた番組表を受信しているから、引用発明の携帯端末１は、本願発明の「上記供給要求信号に応じて供給される上記番組ガイド情報を受信する番組ガイド情報受信手段」に相当する構成を有している。
　引用発明において、携帯端末１は、番組表をディスプレイ１８に表示させ、番組表が表示されている状態において、録画予約する番組の番組欄が、ユーザＩ／Ｆ部１４を操作することで選択されるから、引用発明の「ディスプレイ１８」は、本願発明の上記番組ガイド情報を表示すると共に、当該表示した上記番組ガイド情報から一又は複数の放送番組を選択させる「表示手段」に相当する。
　引用発明の携帯端末１において、番組表が表示されている状態において、録画予約する番組の番組欄が、ユーザＩ／Ｆ部１４を操作することで選択されると、制御部１３では、選択された番組のチャンネルや、開始時刻および終了時刻などの録画予約に必要な予約情報が、番組表を参照することで認識されることから、引用発明の携帯端末１は、本願発明の「ユーザの操作入力に応じて、上記選択された放送番組を録画対象となる選択放送番組として確定する確定手段」に相当する構成を有している。
　引用発明の携帯端末１において、予約情報は、基地局２およびネットワーク３を介してＶＴＲ４に送信されることから、引用発明の「予約情報」は、本願発明の「予約要求信号」に相当する。また、引用発明において、予約情報は、選択された番組のチャンネルや、開始時刻および終了時刻などの録画予約に必要な情報であるから、選択放送番組を示しているといえる。そうすると、引用発明の携帯端末１は、本願発明の「上記選択放送番組を示し、上記選択放送番組の録画予約を要求する予約要求信号を送信する予約要求信号送信手段」に相当する構成を有しているといえる。
　
　すると、本願発明と引用発明は、次の点で一致する。
＜一致点＞
「ネットワークに接続された装置に対し、上記ネットワークを介して放送番組の一覧を表す番組ガイド情報の供給を要求する供給要求信号を送信する供給要求信号送信手段と、
　上記供給要求信号に応じて供給される上記番組ガイド情報を受信する番組ガイド情報受信手段と、
　上記番組ガイド情報を表示すると共に、当該表示した上記番組ガイド情報から一又は複数の放送番組を選択させる表示手段と、
　ユーザの操作入力に応じて、上記選択された放送番組を録画対象となる選択放送番組として確定する確定手段と、
　上記選択放送番組を示し、上記選択放送番組の録画予約を要求する予約要求信号を送信する予約要求信号送信手段と
　を有する携帯端末装置。」
　
　一方、両者は次の点で相違する。
＜相違点１＞
　本願発明では、番組ガイド情報の供給を要求する要求先が録画端末であるのに対し、引用発明では、要求先がデータベース５である点。
＜相違点２＞
　本願発明では、表示された番組ガイド情報から一又は複数の放送番組を選択させるためにカーソルを表示するのに対し、引用発明では、表示された番組ガイド情報から一又は複数の放送番組を選択することについては記載されているが、そのためにカーソルを表示するかについては明確な記載がない点。
＜相違点３＞
　本願発明では、ユーザの操作入力に応じて、選択された放送番組を録画対象となる選択放送番組として確定し、また録画端末が有する複数の録画装置のうち選択放送番組を録画する録画装置を確定する確定手段を有するのに対し、引用発明では、ユーザの操作入力に応じて、選択された放送番組を録画対象となる選択放送番組として確定する確定手段については記載されているが、録画端末が有する複数の録画装置のうち選択放送番組を録画する録画装置を確定する構成については記載がない点。
＜相違点４＞
　本願発明では、予約要求信号が選択録画装置と選択放送番組とを示すものであるのに対し、引用発明では、選択放送番組を示す予約要求信号である点。
　
６　当審の判断
　上記相違点について検討する。
＜相違点１についての検討＞
　引用例２には、「携帯端末において、電話回線を通じて録画機能を有する文字放送受信装置に番組表の情報を要求し、文字放送受信装置より送信されてきた当該番組表の情報を受信して、当該番組表の情報を表示し、録画したい番組を選択する」技術が記載されている。
　そして、引用発明及び引用例２に記載された技術の属する技術分野は、携帯端末によりネットワークを介して録画機能を有する装置に録画番組を設定する技術分野である点で共通する。
　したがって、引用発明において、引用例２に記載された技術を適用して、番組ガイド情報の供給を要求する要求先を録画端末とすることは、当業者が容易に想到し得ることである。
　
＜相違点２についての検討＞
　ＧＵＩにおいて、一又は複数の項目を選択するためにカーソルを表示する技術は、出願前周知である。したがって、ユーザインターフェースがＧＵＩである引用発明において、上記周知技術を適用して、表示された番組ガイド情報から一又は複数の放送番組を選択させるためにカーソルを表示するように構成することは、当業者が容易に想到し得ることである。
　
＜相違点３及び４についての検討＞
　引用例３には、「携帯電話機において、無線通信により無線式電話機を介して、ビデオデッキに対して、録画を行おうとする時間、録画チャンネル及び複数のビデオデッキから動作させようとするビデオデッキを指定する」技術が記載されている。
　そして、引用発明及び引用例３に記載された技術の属する技術分野は、携帯端末によりネットワークを介して番組録画装置に録画番組を設定する技術分野である点で共通する。
　したがって、引用発明において、引用例３に記載された技術を適用して、ユーザの操作入力に応じて、選択された放送番組を録画対象となる選択放送番組として確定し、また録画端末が有する複数の録画装置のうち選択放送番組を録画する録画装置を確定する確定手段を有するように構成し、さらに、選択録画装置と選択放送番組とを示す予約要求信号とするように構成することは、当業者が容易に想到し得ることである。
　
　また、本願発明の構成によって生じる効果も、引用発明、引用例２に記載された技術、引用例３に記載された技術及び周知技術から当業者が予測できる程度のものである。
　
　したがって、本願発明は、引用発明、引用例２に記載された技術、引用例３に記載された技術及び周知技術に基づいて当業者が容易に発明をすることができたものである。
　
＜請求人の主張について＞
　請求人は、平成２２年１２月２２日付けの意見書において、引用例１の記載について以下のように主張している。
「（２）審判官殿の第１引用例（特開平０９−１０２８２７号公報（原出願（特願平１１−７６３４６号）及び新出願（特願２００８−２６５５５０号）に係る拒絶理由の引用文献１））には、
「〔００４７〕その後、ユーザは、ユーザＩ／Ｆ部１４を操作して、希望する番組を録画予約するのに必要な情報（以下、適宜、予約情報という）（操作情報）を入力する。この予約情報は、制御部１３および通信Ｉ／Ｆ部１２を介して、アンテナ１１から出力され、さらに、基地局２およびネットワーク３を介してＶＴＲ４に送信される。
〔００４８〕ＶＴＲ４では、携帯端末１からの予約情報が、通信Ｉ／Ｆ部２２によって受信され、制御部２３に出力される。制御部２３では、予約情報が、ＶＴＲブロック２５に対し、録画予約を行うのに適したフォーマットに変換され、対ＶＴＲブロックＩ／Ｆ部２４を介してＶＴＲブロック２４に出力される。ＶＴＲブロック２４では、予約情報を受信すると、その予約情報にしたがって、録画予約が実行される。」
（第１引用例第６頁右欄３２乃至４６行）
のように、『ユーザが携帯端末に希望する番組を録画予約するのに必要な予約情報を入力すると、携帯端末がその予約情報を基地局及びネットワークを順次介してＶＴＲに送信して、当該ＶＴＲにその予約情報に従い録画予約を実行させる』ような構成が示されているにすぎず、本願発明の上記第１乃至第３の特徴点の構成は開示も示唆もされていない。」（２頁１〜１７行）
「すなわち本願発明は、上記第２の特徴点のように、『携帯端末装置において、表示手段に番組ガイド情報を表示すると共に、当該表示した番組ガイド情報から一又は複数の放送番組を選択させるカーソルを表示する』ように構成することで、遠隔の携帯端末装置においてユーザに簡易な操作で録画対象の放送番組を選択させている。
　また本願発明は、上記第３の特徴点のように、『携帯端末装置において、ユーザの操作入力に応じて、選択された放送番組を録画対象となる選択放送番組として確定し、また録画端末が有する複数の録画装置のうち選択放送番組を録画する選択録画装置を確定して、当該確定した選択録画装置と選択放送番組とを示し、選択放送番組の録画予約を要求する予約要求信号を送信する』ように構成することで、録画対象の放送番組に加えて、その放送番組を録画する録画装置も簡易な操作で選択させると共に、これら選択された放送番組及び録画装置を選択放送番組及び選択録画装置として一括して示し選択放送番組の録画予約を要求する予約要求信号を送信する簡易な通信処理で、当該選択放送番組を録画予約している。
　しかしながら第１引用例には、携帯端末に対してユーザに希望する番組を録画予約するために必要な予約情報を入力させて録画予約を実行するような構成が示されているにすぎず、本願発明の上記第２及び第３の特徴点のように、遠隔の携帯端末装置により簡易な操作及び簡易な通信処理で、所望の選択録画装置に対して所望の選択放送番組を録画予約するような構成を示唆するような記載や考え方は全く無い。」（３頁下から１９〜２行）
「このため、当業者が、このように遠隔から簡易な操作及び簡易な通信処理で放送番組を録画予約するような考え方の全く無い第１乃至第４引用例の構成を組み合わせたとしても、本願発明の上記第２及び第３特徴点の構成に想到し得るとは言い得ない。
　従って本願発明の上記第２及び第３の特徴点によれば、『遠隔の携帯端末装置により簡易な操作及び簡易な通信処理で、所望の選択録画装置に対して所望の選択放送番組を録画するように録画予約することができ、ユーザに外出先から録画予約等の遠隔制御を容易に行わせることができる』と言った格別な効果を得ることができるのに対して、本願発明の上記第２及び第３の特徴点の構成をもたない第１乃至第４引用例によってかかる効果を得ることができるとは到底言い得ない。」（４頁２０〜２８行）
　
　以下、上記主張について検討する。
　確かに、引用例１の段落【００４７】〜【００４８】には、ユーザが録画予約に必要な予約情報を入力する手法が記載されている。しかしながら、引用例１（特に、段落【００５６】〜【００５９】参照。）には、携帯端末１において、ユーザが予約情報を入力せずに、表示された番組表の番組欄を選択するという簡易な操作で遠隔に録画予約できることが記載されており、引用例１に記載された引用発明は、遠隔の携帯端末装置により簡易な操作及び簡易な通信処理で、所望の選択放送番組を録画するように録画予約することができ、ユーザに外出先から録画予約等の遠隔制御を容易に行わせることができるといった効果を得ることができる。
　したがって、請求人の主張は採用できない。
　なお、平成２２年１０月２９日付けの当審拒絶理由通知（特に、８頁１１〜２６行、９頁１５〜１８行及び１４頁下から９〜１５行参照。）においても、本審決と同様に、上記構成を引用発明として認定している。
　
７　むすび
　以上のとおり、本願発明は、引用発明、引用例２に記載された技術、引用例３に記載された技術及び周知技術に基づいて、当業者が容易に発明をすることができたものであるから、他の請求項について論及するまでもなく、本願は、特許法２９条２項の規定により特許を受けることができない。
　よって、結論のとおり審決する。